(57)【要約】【課題】表示部と発音体の両方を有する住宅設備の端末機器において、機器を大型化することなく表示器を大きくし視認性を向上させることを目的とする。【解決手段】前面ケースと背面ケースとで囲われた空間内に機器を遠隔操作するための制御基板と、視認部と非視認部を備え文字情報などを表示する表示部と、前面ケースに形成された発音開口部より拡声するように構成され音声ガイダンスなどを発音する発音体と、を備え、表示部の非視認部の前方であり、視認部を覆わない位置に発音体を配置するとともに、発音体の前方に発音開口部を備えた前面ケースを配置した。【選択図】図５
2013040739.tif 000002
【特許請求の範囲】
【請求項１】
前面ケースと背面ケースとで囲われた空間内に、
機器を遠隔操作するための制御基板と、
視認部と非視認部を備え文字情報などを表示する表示部と、
前記前面ケースに形成された発音開口部より拡声するように構成され音声ガイダンスなどを発音する発音体と、
を備え、
前記表示部の前記非視認部の前方であり、前記視認部を覆わない位置に前記発音体を配置するとともに、前記発音体の前方に前記発音開口部を備えた前記前面ケースを配置したことを特徴とする給湯機用リモコン。
【請求項２】
前記非視認部の幅寸法が最も大きくなる部位を含む前記非視認部の前方に、前記発音体を配置したことを特徴とする請求項１に記載の給湯機用リモコン。
【請求項３】
前記表示部の前記非視認部は、前記発音体の形状に合わせた切り欠き切り形状を備え、前記発音体と前記表示部とが直接接触しないように構成したことを特徴とする請求項１または２に記載の給湯機用リモコン。
【請求項４】
前記表示部の前記非視認部に前記表示部用のバックライト部を備え、
前記発音体は、前記バックライト部の前方となる位置に配置したことを特徴とする請求項１乃至３のいずれか１つに記載の給湯機用リモコン。
【発明の詳細な説明】
【技術分野】
【０００１】
本発明は、給湯機などの操作に用いる給湯機用リモコンに関するものである。
【背景技術】
【０００２】
家庭内で使われている給湯機などの住宅機器において、機器の状態を知らせる表示や文字情報を表示する液晶表示などの表示手段を備えたリモコンが広く用いられている。また表示手段以外に、音声ガイダンスによって使用者の使い勝手を向上させる音声発生手段も備えたリモコンも存在する。音声発生手段は一般的にはスピーカー等といった発音体によって構成される。従来のリモコンにおいて、使用者が外部から視認する表示手段と、使用者が音声を聞くための音声発生手段とはリモコン筐体内において各々独立して別々の場所に使用者に向けて配置する必要があったため、リモコン筐体の絶対的な面積において占有率が大きく、配置やデザイン自由度が低くなるばかりでなく、限られた大きさのリモコンに両者を配置しようとすると、必然的に両方の大きさに制限が生じていた。
【０００３】
また、リモコンなど多くの端末機器において表示部の視認性向上のために表示手段の大型化の要求が高まっており、この解決のため、機器内の表示部の裏側に発音部を備え、発音部と表示部間に枠体を設け、その枠体内に発音部で生じた音を導く導音路と放音孔を設ける技術が開示されている。（特許文献１）
【先行技術文献】
【特許文献】
【０００４】
【特許文献１】特開２００６−１００８９８号公報
【発明の概要】
【発明が解決しようとする課題】
【０００５】
しかしながら、発音体の前方に表示部等の構造体を配置すると、発音体の発音振動での筐体の共振によるビビリ音などが発生したり、導音路が筐体内を細長く這い回され放音孔に導かれる場合、音声ガイダンスなどの発音周波数が減衰し音質が低下してしまうなどの問題を生じる。また、このような複雑な構造とすることでのコストアップや、導音路と放音孔を設けることによる筐体の厚みの増加などによるデザイン性の低下等を生じる。
【０００６】
本発明は、上記課題を解決するものであり、表示部と発音体の両方を有する住宅機器のリモコンなどの端末機器において、ビビリ音や音声の減衰を生じず、コストアップや筐体大型化することなく、限られた筐体の大きさ内で表示器を大きくし視認性を向上させることを目的とする。
【課題を解決するための手段】
【０００７】
前面ケースと背面ケースとで囲われた空間内に、機器を遠隔操作するための制御基板と、視認部と非視認部を備え文字情報などを表示する表示部と、前面ケースに形成された発音開口部より拡声するように構成され音声ガイダンスなどを発音する発音体と、を備え、表示部の非視認部の前方であり、視認部を覆わない位置に発音体を配置するとともに、発音体の前方に発音開口部を備えた前面ケースを配置した。
【発明の効果】
【０００８】
本発明によれば、表示部と発音体の両方を有する住宅機器のリモコンなどの端末機器において、ビビリ音や音声の減衰を生じず、コストアップや筐体大型化することなく、限られた筐体の大きさ内で表示器を大きくし視認性を向上させることができる。
【図面の簡単な説明】
【０００９】
【図１】本発明の実施の形態１係わる給湯機用リモコンの分解斜視図である。
【図２】本発明の実施の形態１に係わる表示器の正面図である。
【図３】本発明に係わるリモコン正面図である。
【図４】図３に示すＡＡ断面図である。
【図５】図４に示すＢ部詳細図である。
【図６】本発明の実施の形態２における制御基板斜視図である。
【図７】本発明の実施の形態２におけるＢ部詳細図である。
【発明を実施するための形態】
【００１０】
実施の形態１.
図１は本発明の実施の形態１に係わる給湯機用リモコン１００（以下リモコン）の分解斜視図であり、図２は図１中の表示器１３２の詳細を示す正面図であり、図３はリモコン１００の組み立て状態の正面図である。また、図４は図３のＡＡ断面を、図５は図４のＢ部詳細を示す図である。以下図１〜５を適時参照して説明する。
【００１１】
図１において、リモコン１００は、樹脂等からなる前面ケース１１０と背面ケース１２０とによって囲まれた空間内に、図示しない給湯機（住宅機器）を制御する制御部を備えた制御基板１３０と、給湯機の動作情報や設定情報などを音声によってガイダンスするための発声手段であるスピーカー１３１と、給湯機の動作情報や設定情報などを文字やキャラクターなどによって表示する表示手段である表示器１３２が内蔵されており、使用者が視認する方向から、前面ケース１１０、スピーカー１３１、表示器１３２、制御基板１３０、背面ケース１２０の順に配置されている。
【００１２】
図１、３、４において、前面ケース１１０には、前面ケース１１０に取り付けられるスピーカー１３１の前方となる位置に発音開口部１１１が備えられており、制御基板１３０上に取り付けられている表示器１３２の前方に透過性の表示窓１１２が備えられている。前面ケース１１０は不透過性樹脂によって形成されており、透過性樹脂を使用している表示窓１１２とは２色成形によって２つの材質を溶着状態で接合している。
【００１３】
図２に示すように、表示器１３２は、表示器能を有する液晶部１３３と、液晶部１３３の後方から光を当てるための光源機能を有し熱可塑性樹脂などで形成されるバックライト部１３４とで構成されている。液晶部１３３は、文字やキャラクター等が表示され、表示窓１１２を通して外部から使用者が視認可能な視認部１３２ａと、その外周に形成され、外部から表示窓１１２を通して視認することができない位置となる非視認部１３２ｂがある。視認部１３２ａと表示窓１１２は略同一面積であり、リモコン１００の組み立て状態（図３）において、使用者が目視可能な表示器１３２は視認部１３２ａのみとなる。
【００１４】
図４、５のように、スピーカー１３１は、発音開口部１１１からの気密を行うために前面ケース１１０との間にゴムなどの柔軟性があり防振効果の高い材料で構成されたパッキン１４０を介在させ、後方より留め金具１４１にて固定され、表示器１３２の非視認部１３２ｂおよびバックライト部１３４の一部に、前面側からみて重なり合う位置に配置されている。また、スピーカー１３１は、このようにパッキン１４０を介して前面ケース１１０に固定され、表示器１３２とは直接接触しないように構成されているので、スピーカー１３１が発音した際に振動をリモコン１００に伝播し難いとともに、その前方には発音開口部１１１が配置されており、発音振動がリモコン１００へ及ぼす影響が少ないようになっている。
【００１５】
このように配置することで、表示器１３２の外郭の一部とスピーカー１３１の外郭の一部が重なり合うように配置しても、表示器１３２の視認部１３２ａにはスピーカー１３１の外郭部分は及んでいないので、使用者が組み立て状態のリモコン１００を見てもスピーカー１３１を表示窓１１２から目視することはなく、視認部１３２ａを正しく見ることができるとともに、スピーカー１３１は発音開口部１１から音声を発声可能であり、無駄な振動をリモコン１００に伝えることもない。
【００１６】
以上のように本発明の実施の形態１によれば、表示器１３２の外郭の一部とスピーカー１３１の外郭の一部が重なり合うように配置したので、表示器１３２とスピーカー１３１を各々配置する場合に対して、限られたリモコン内のスペースを有効活用することが可能となり、相対的に大きな表示部を採用しながら、適切なスピーカーを選択して、リモコンを構成可能となり、表示部と発音体の両方を有する住宅機器のリモコンなどの端末機器において、ビビリ音や音声の減衰を生じることはない。また、従来の構成のように複雑な導音路や放音孔を設ける必要がいので、コストアップや筐体大型化することなく、限られた筐体の大きさ内で表示器を大きくし視認性を向上させることが可能となる。
【００１７】
実施の形態２.
図６は、本発明による実施の形態２における制御基板１３０を示す斜視図であり、図７は、本発明の実施の形態２における、実施の形態１の図５に相当する断面拡大図である。本実施の形態２の説明において、実施の形態１と同一部分または相当部分は同一符号を付し説明を省略する。
【００１８】
図６において、制御基板１３０上に配置された表示器１３２のバックライト部１３４は、スピーカー１３１と重なり合って配置される際に、スピーカー１３１の外郭と対向する部分を厚さ方向に切り欠いた、切り欠き部１３４ａを有している。この切り欠き部１３４ａは、表示器１３２において幅方向に最も寸法を要するバックライト部１３４とスピーカー１３１とを一部重なり合わせることが、リモコン１００の内部寸法の有効活用に最も効果的であることから、スピーカー１３１とバックライト部１３４とを重ね合わせたとき干渉してスピーカー１３１の振動が直接伝播してしまわないようにすることを目的としたもので、切り欠き部１３４ａにより空隙を設けるように構成するものである。なお、本実施の形態２においては、バックライト部１３４が幅方向で最も寸法を要する部分であったが、もちろん表示器１３２の種類などにより最も寸法を要する部分は異なるので、適宜最も寸法を要する部分に本実施の形態のような切り欠き構造を採用してもよい。
【００１９】
以上のように、本実施の形態２においては、表示器において幅方向に最も寸法を要する部分とスピーカーとを一部重なり合わせることが、リモコンの内部寸法の有効活用に最も効果的であることから、スピーカーと重ね合わせたとき干渉してスピーカーの振動が直接伝播してしまわないように、表示器の幅方向で最も寸法を要する部分に切り欠き部を設けるように構成したので、上述の実施の形態１よりもさらに、限られたリモコン内のスペースを有効活用することが可能となり、相対的に大きな表示部を採用しながら、適切なスピーカーを選択して、リモコンを構成可能となり、表示部と発音体の両方を有する住宅機器のリモコンなどの端末機器において、ビビリ音や音声の減衰を生じることはない。また、従来の構成のように複雑な導音路や放音孔を設ける必要がないので、コストアップや筐体大型化することなく、限られた筐体の大きさ内で表示器を大きくし視認性を向上させることが可能となる。
【符号の説明】
【００２０】
１００  リモコン
１１０  前面ケース
１１１  発音開口部
１１２  表示窓
１２０  背面ケース
１３０  制御基板
１３１  スピーカー
１３２  表示器
１３２ａ  視認部
１３２ｂ  非視認部
１３３  液晶部
１３４  バックライト部
１３４ａ  切り欠き部
１４０  パッキン
１４１  留め金具
【図１】
2013040739.tif 000003
【図２】
2013040739.tif 000004
【図３】
2013040739.tif 000005
【図４】
2013040739.tif 000006
【図５】
2013040739.tif 000007
【図６】
2013040739.tif 000008
【図７】
2013040739.tif 000009